【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
（Ａ）顔料、（Ｂ）結着樹脂、（Ｃ）感放射線性化合物及び（Ｄ）溶剤を含有するカラーフィルター用感光性着色組成物において、前記（Ａ）顔料が、平均粒子サイズが０．０１μｍ〜０．２μｍである下記一般式（Ｉ）で表される顔料を含むことを特徴とするカラーフィルター用感光性着色組成物。
【化１】
1999231516.tif 000001
一般式（Ｉ）中、Ｙは、酸素原子又は硫黄原子を表す。
Ｒ1 、Ｒ2 は、同じでも異なっていてもよく、水素原子、アルキル基、シクロアルキル基、アルケニル基、アルキニル基、アリール基、アラルキル基、カルバモイル基、アルキルカルバモイル基、アリールカルバモイル基、又はアルコキシカルボニル基を表す。
Ｒ3 、Ｒ4 は、同じでも異なっていてもよく、アルキル基、シクロアルキル基、アラルキル基、又は炭素環もしくは複素環式芳香族残基を表す。
【請求項２】
前記（Ａ）顔料が、平均粒子サイズが０．０１μｍ〜０．２μｍである下記一般式（ＩＡ）で表される顔料を含むことを特徴する請求項１に記載のカラーフィルター用感光性着色組成物。
【化２】
1999231516.tif 000002
一般式（ＩＡ）中、Ｒは、水素原子、メチル基、エチル基、プロピル基、−Ｎ（ＣＨ3 ）2 、−Ｎ（Ｃ2 Ｈ5 ）2 、−ＣＦ3 、塩素原子又は臭素原子を表す。
【請求項３】
前記（Ａ）顔料が、一般式（ＩＡ）におけるＲがいずれも塩素原子であることを特徴とする請求項２に記載のカラーフィルター用感光性着色組成物。
【請求項４】
更に、他の顔料を含有することを特徴とする請求項１〜３のいずれかに記載のカラーフィルター用感光性着色組成物。
【請求項５】
他の顔料が赤色顔料または黄色顔料であることを特徴とする請求項４に記載のカラーフィルター用感光性着色組成物。
【請求項６】
前記他の顔料が、Ｃ．Ｉ．Ｐｉｇｍｅｎｔ Ｒｅｄ １７７、及び、Ｃ．Ｉ．Ｐｉｇｍｅｎｔ Ｙｅｌｌｏｗ  １３９、１５０及び１８５から選択されることを特徴とする請求項４に記載のカラーフィルター用感光性着色組成物。
【請求項７】
請求項１〜６のいずれかに記載のカラーフィルター用感光性着色組成物を用いることを特徴とするカラーフィルターの製造方法。
【請求項８】
請求項１〜６のいずれかに記載のカラーフィルター用感光性着色組成物により基板上に感光性着色組成物層を形成し、マスクパターンを介して露光し、現像液で現像することにより形成された、着色されたパターンを有するカラーフィルター。
【請求項９】
顔料と樹脂を含む着色樹脂層を有するカラーフィルターにおいて、前記顔料が、平均粒子サイズが０．０１μｍ〜０．２μｍである下記一般式（Ｉ）で表される顔料を含むことを特徴とするカラーフィルター。
【化３】
1999231516.tif 000003
一般式（Ｉ）中、Ｙは、酸素原子又は硫黄原子を表す。
Ｒ1 、Ｒ2 は、同じでも異なっていてもよく、水素原子、アルキル基、シクロアルキル基、アルケニル基、アルキニル基、アリール基、アラルキル基、カルバモイル基、アルキルカルバモイル基、アリールカルバモイル基、又はアルコキシカルボニル基を表す。
Ｒ3 、Ｒ4 は、同じでも異なっていてもよく、アルキル基、シクロアルキル基、アラルキル基、又は炭素環もしくは複素環式芳香族残基を表す。
【請求項１０】
顔料を含有する着色組成物のパターンを有するカラーフィルターにおいて、前記顔料が、平均粒子サイズが０．０１μｍ〜０．２μｍである下記一般式（Ｉ）で表される顔料を含むことを特徴とするカラーフィルター。
【化４】
1999231516.tif 000004
一般式（Ｉ）中、Ｙは、酸素原子又は硫黄原子を表す。
Ｒ1 、Ｒ2 は、同じでも異なっていてもよく、水素原子、アルキル基、シクロアルキル基、アルケニル基、アルキニル基、アリール基、アラルキル基、カルバモイル基、アルキルカルバモイル基、アリールカルバモイル基、又はアルコキシカルボニル基を表す。
Ｒ3 、Ｒ4 は、同じでも異なっていてもよく、アルキル基、シクロアルキル基、アラルキル基、又は炭素環もしくは複素環式芳香族残基を表す。
【請求項１１】
前記顔料が、平均粒子サイズが０．０１μｍ〜０．２μｍである下記一般式（ＩＡ）で表される顔料を含むことを特徴とする請求項９又は１０に記載のカラーフィルター。
【化５】
1999231516.tif 000005
一般式（ＩＡ）中、Ｒは、水素原子、メチル基、エチル基、プロピル基、−Ｎ（ＣＨ3 ）2 、−Ｎ（Ｃ2 Ｈ5 ）2 、−ＣＦ3 、塩素原子又は臭素原子を表す。
【請求項１２】
前記顔料が、一般式（ＩＡ）におけるＲがいずれも塩素原子である化合物であることを特徴とする請求項１１に記載のカラーフィルター。
【請求項１３】
更に他の顔料を含有することを特徴とする請求項９〜１２のいずれかに記載のカラーフィルター。
【請求項１４】
他の顔料が赤色顔料または黄色顔料であるであることを特徴とする請求項１３に記載のカラーフィルター。
【請求項１５】
前記他の顔料が、Ｃ．Ｉ．Ｐｉｇｍｅｎｔ Ｒｅｄ １７７、及び、Ｃ．Ｉ．Ｐｉｇｍｅｎｔ Ｙｅｌｌｏｗ  １３９、１５０及び１８５から選択されることを特徴とする請求項１３に記載のカラーフィルター。
【手続補正２】
【補正対象書類名】明細書
【補正対象項目名】００１５
【補正方法】変更
【補正の内容】
【００１５】
一般式（ＩＡ）中、Ｒは、水素原子、メチル基、エチル基、プロピル基、−Ｎ（ＣＨ3 ）2 、−Ｎ（Ｃ2 Ｈ5 ）2 、−ＣＦ3 、塩素原子又は臭素原子を表す。
（３）前記（Ａ）顔料が、一般式（ＩＡ）におけるＲがいずれも塩素原子であることを特
徴とする上記（２）に記載のカラーフィルター用感光性着色組成物。
（４）更に、他の顔料を含有することを特徴とする上記（１）〜（３）のいずれかに記載のカラーフィルター用感光性着色組成物。
（５）前記他の顔料が赤色顔料または黄色顔料であることを特徴とする上記（４）に記載のカラーフィルター用感光性着色組成物。
（６）前記他の顔料が、Ｃ．Ｉ．Ｐｉｇｍｅｎｔ Ｒｅｄ １７７、及び、Ｃ．Ｉ．Ｐｉｇｍｅｎｔ Ｙｅｌｌｏｗ  １３９、１５０及び１８５から選択されることを特徴とする上記（４）に記載のカラーフィルター用感光性着色組成物。
（７）上記（１）〜（６）のいずれかに記載のカラーフィルター用感光性着色組成物を用いることを特徴とするカラーフィルターの製造方法。
（８）上記（１）〜（６）のいずれかに記載のカラーフィルター用感光性着色組成物により基板上に感光性着色組成物層を形成し、マスクパターンを介して露光し、現像液で現像することにより形成された、着色されたパターンを有するカラーフィルター。
（９）顔料と樹脂を含む着色樹脂層を有するカラーフィルターにおいて、前記顔料が、平均粒子サイズが０．０１μｍ〜０．２μｍである下記一般式（Ｉ）で表される顔料を含むことを特徴とするカラーフィルター。
【化６】
1999231516.tif 000006
一般式（Ｉ）中、Ｙは、酸素原子又は硫黄原子を表す。
Ｒ1 、Ｒ2 は、同じでも異なっていてもよく、水素原子、アルキル基、シクロアルキル基、アルケニル基、アルキニル基、アリール基、アラルキル基、カルバモイル基、アルキルカルバモイル基、アリールカルバモイル基、又はアルコキシカルボニル基を表す。
Ｒ3 、Ｒ4 は、同じでも異なっていてもよく、アルキル基、シクロアルキル基、アラルキル基、又は炭素環もしくは複素環式芳香族残基を表す。
（１０）顔料を含有する着色組成物のパターンを有するカラーフィルターにおいて、前記顔料が、平均粒子サイズが０．０１μｍ〜０．２μｍである下記一般式（Ｉ）で表される顔料を含むことを特徴とするカラーフィルター。
【化７】
1999231516.tif 000007
一般式（Ｉ）中、Ｙは、酸素原子又は硫黄原子を表す。
Ｒ1 、Ｒ2 は、同じでも異なっていてもよく、水素原子、アルキル基、シクロアルキル基、アルケニル基、アルキニル基、アリール基、アラルキル基、カルバモイル基、アルキルカルバモイル基、アリールカルバモイル基、又はアルコキシカルボニル基を表す。
Ｒ3 、Ｒ4 は、同じでも異なっていてもよく、アルキル基、シクロアルキル基、アラルキル基、又は炭素環もしくは複素環式芳香族残基を表す。
（１１）前記顔料が、平均粒子サイズが０．０１μｍ〜０．２μｍである下記一般式（ＩＡ）で表される顔料を含むことを特徴とする上記（９）又は（１０）に記載のカラーフィルター。
【化８】
1999231516.tif 000008
一般式（ＩＡ）中、Ｒは、水素原子、メチル基、エチル基、プロピル基、−Ｎ（ＣＨ3 ）2 、−Ｎ（Ｃ2 Ｈ5 ）2 、−ＣＦ3 、塩素原子又は臭素原子を表す。（１２）前記顔料が、一般式（ＩＡ）におけるＲがいずれも塩素原子である化合物であることを特徴とする上記（１１）に記載のカラーフィルター。
（１３）更に他の顔料を含有することを特徴とする上記（９）〜（１２）のいずれかに記載のカラーフィルター。
（１４）他の顔料が赤色顔料または黄色顔料であるであることを特徴とする上記（１３）に記載のカラーフィルター。
（１５）前記他の顔料が、Ｃ．Ｉ．Ｐｉｇｍｅｎｔ Ｒｅｄ １７７、及び、Ｃ．Ｉ．Ｐｉｇｍｅｎｔ Ｙｅｌｌｏｗ  １３９、１５０及び１８５から選択されることを特徴とする上記（１３）に記載のカラーフィルター。